(57)【要約】【課題】ネットワーク上のリソースに対する通信端末のアクセスを簡易な構成で適切に規制できるようにすること。【解決手段】携帯電話機４０は、インターネット２０上のサイトに対する当該携帯電話機４０のアクセスを、この携帯電話機４０の使用者（未成年者）の親権者が登録したブックマークのみに制限する。なお、携帯電話機４０へのブックマークの登録は、ユーザ認証により親権者のみに制限される。また、親権者がブックマークの登録を行なっている期間中は、携帯電話機４０に設定されたアクセスの規制が解除される。【選択図】図１
2008118668.tif 000002
【特許請求の範囲】
【請求項１】
自端末のアクセスを許可するネットワーク上のリソースを特定するネットワークアドレスが複数蓄積されているサーバから、任意のネットワークアドレスを取得する取得手段と、
前記取得手段により取得されたネットワークアドレスを記憶する記憶手段と、
ネットワーク上のリソースに対するアクセス要求が発生した場合に、このアクセス要求に基づくリソースのネットワークアドレスと前記記憶手段により記憶されたネットワークアドレスとを比較して当該アクセスの可否を判別する判別手段と、
前記判別手段がアクセスを許可すると判別した場合に、前記リソースへアクセスするための通信を行う通信手段と
を有することを特徴とする通信端末。
【請求項２】
ブックマーク機能を有するブラウザを実行可能であり、
前記記憶手段は前記ブックマーク機能であって、当該ブックマーク機能は、前記取得手段により取得されたネットワークアドレスをブックマークとして登録する
ことを特徴とする請求項１に記載の通信端末。
【請求項３】
ネットワーク上のリソースに対する自端末のアクセスを前記記憶手段により記憶されたネットワークアドレスに従って規制するアクセス規制機能を有効または無効に切替える切替指令を受信する受信手段と、
前記受信手段により受信された切替指令に従って前記アクセス規制機能を有効または無効に切替える切替手段とをさらに有する
ことを特徴とする請求項１に記載の通信端末。
【請求項４】
ネットワーク上のリソースに対する自端末のアクセスを前記記憶手段により記憶されたネットワークアドレスに従って規制するアクセス規制機能を、操作入力に応じて有効または無効に切替える切替手段をさらに有する
ことを特徴とする請求項１に記載の通信端末。
【請求項５】
前記切替手段がアクセス規制機能を操作入力に応じて有効または無効に切替える場合に、自端末の操作者が予め定められたユーザであるか否かを認証する認証手段をさらに有する
ことを特徴とする請求項１に記載の通信端末。
【請求項６】
自端末の使用者は未成年者であって、前記認証手段により認証される予め定められたユーザは、前記使用者の親権者である
ことを特徴とする請求項５に記載の通信端末。
【請求項７】
パケット通信機能を有する携帯電話機であることを特徴とする請求項１に記載の通信端末。
【請求項８】
サーバと通信端末とを有する通信システムであって、
前記サーバは、
前記通信端末のアクセスを許可するネットワーク上のリソースを特定するネットワークアドレスを複数蓄積する蓄積手段と、
前記蓄積手段により蓄積されたネットワークアドレスの中から、前記通信端末により指定されたネットワークアドレスを前記通信端末に送信する送信手段とを有し、
前記通信端末は、
前記送信手段により送信されたネットワークアドレスを受信する受信手段と、
前記受信手段により受信されたネットワークアドレスを記憶する記憶手段と、
ネットワーク上のリソースに対するアクセス要求が発生した場合に、このアクセス要求に基づくリソースのネットワークアドレスと前記記憶手段により記憶されたネットワークアドレスとを比較して当該アクセスの可否を判別する判別手段と、
前記判別手段がアクセスを許可すると判別した場合に、前記リソースへアクセスするための通信を行う通信手段とを有する
ことを特徴とする通信システム。
【請求項９】
前記通信端末の使用者は未成年者であって、前記蓄積手段に蓄積されているネットワークアドレスは、未成年者にとって有害な内容を含んでいるリソースのネットワークアドレスが除かれたものである
ことを特徴とする請求項８に記載の通信システム。
【請求項１０】
前記蓄積手段は、前記通信端末のアクセスを許可するネットワーク上のリソースを特定するネットワークアドレスと、当該ネットワークアドレスにより特定されるリソースの内容を示したコメント情報とを複数蓄積している
ことを特徴とする請求項８に記載の通信システム。
【請求項１１】
通信端末のアクセスを許可するネットワーク上のリソースを特定するネットワークアドレスをサーバが蓄積する蓄積過程と、
通信端末が、前記蓄積過程にてサーバに蓄積された複数のネットワークアドレスの中から任意のネットワークアドレスを取得する取得過程と、
前記通信端末が前記取得過程にて取得したネットワークアドレスを記憶する記憶過程と、
前記通信端末が、ネットワーク上のリソースに対するアクセス要求が発生した場合に、このアクセス要求に基づくリソースのネットワークアドレスと前記記憶過程にて記憶されたネットワークアドレスとを比較して当該アクセスの可否を判別する判別過程と、
前記通信端末が、前記判別過程にてアクセスを許可すると判別された場合に、前記リソースへアクセスするための通信を行う通信過程と
を有することを特徴とする通信制御方法。
【発明の詳細な説明】
【技術分野】
【０００１】
この発明は、通信端末、通信システムおよび通信制御方法に係り、詳細には、ネットワーク上のリソースに対する通信端末のアクセスを規制する技術に関する。
【背景技術】
【０００２】
例えば、パケット通信機能を有する携帯電話機やパーソナルコンピュータなどの通信端末は、インターネットに接続されているコンテンツサーバからプログラム、画像データ、楽曲データなどの様々なコンテンツを自由にダウンロードすることができる。また、情報通信技術の発展や通信端末の低価格化などに伴って通信端末の使用者の年齢層が拡大し、近年では、特に子供などの低年齢層の使用者が急増している。
【発明の開示】
【発明が解決しようとする課題】
【０００３】
ところで、通信端末がインターネットなどから取得可能なコンテンツには、有益なコンテンツが多数ある反面、未成年者などにとっては著しく不適切で有害なコンテンツも存在する。このような状況下において、例えば、子供を持つ親達は、自分の子供にも通信端末を使用することは認めたいが、それにより有害なコンテンツが子供の目に触れるようなことは防ぎたいという要望がある。
【０００４】
本発明は、以上説明した事情に鑑みてなされたものであり、ネットワーク上のリソースに対する通信端末のアクセスを簡易な構成で適切に規制することのできる通信端末、通信システムおよび通信制御方法を提供することを目的としている。
【課題を解決するための手段】
【０００５】
この発明は、自端末のアクセスを許可するネットワーク上のリソースを特定するネットワークアドレスが複数蓄積されているサーバから、任意のネットワークアドレスを取得する取得手段と、前記取得手段により取得されたネットワークアドレスを記憶する記憶手段と、ネットワーク上のリソースに対するアクセス要求が発生した場合に、このアクセス要求に基づくリソースのネットワークアドレスと前記記憶手段により記憶されたネットワークアドレスとを比較して当該アクセスの可否を判別する判別手段と、前記判別手段がアクセスを許可すると判別した場合に、前記リソースへアクセスするための通信を行う通信手段とを有する通信端末を提供する。
【０００６】
また、この発明は、サーバと通信端末とを有する通信システムであって、前記サーバは、前記通信端末のアクセスを許可するネットワーク上のリソースを特定するネットワークアドレスを複数蓄積する蓄積手段と、前記蓄積手段により蓄積されたネットワークアドレスの中から、前記通信端末により指定されたネットワークアドレスを前記通信端末に送信する送信手段とを有し、前記通信端末は、前記送信手段により送信されたネットワークアドレスを受信する受信手段と、前記受信手段により受信されたネットワークアドレスを記憶する記憶手段と、ネットワーク上のリソースに対するアクセス要求が発生した場合に、このアクセス要求に基づくリソースのネットワークアドレスと前記記憶手段により記憶されたネットワークアドレスとを比較して当該アクセスの可否を判別する判別手段と、前記判別手段がアクセスを許可すると判別した場合に、前記リソースへアクセスするための通信を行う通信手段とを有する通信システムを提供する。
【０００７】
また、この発明は、通信端末のアクセスを許可するネットワーク上のリソースを特定するネットワークアドレスをサーバが蓄積する蓄積過程と、通信端末が、前記蓄積過程にてサーバに蓄積された複数のネットワークアドレスの中から任意のネットワークアドレスを取得する取得過程と、前記通信端末が前記取得過程にて取得したネットワークアドレスを記憶する記憶過程と、前記通信端末が、ネットワーク上のリソースに対するアクセス要求が発生した場合に、このアクセス要求に基づくリソースのネットワークアドレスと前記記憶過程にて記憶されたネットワークアドレスとを比較して当該アクセスの可否を判別する判別過程と、前記通信端末が、前記判別過程にてアクセスを許可すると判別された場合に、前記リソースへアクセスするための通信を行う通信過程とを有する通信制御方法を提供する。
【０００８】
この発明によれば、サーバには、通信端末のアクセスを許可するリソースのネットワークアドレスが複数蓄積され、通信端末は、サーバに蓄積された複数のネットワークアドレスの中から任意のネットワークアドレスを取得して記憶する。そして、通信端末は、ネットワーク上のリソースに対する当該通信端末のアクセスを、サーバから取得したネットワークアドレスに従って規制する。
【発明の効果】
【０００９】
本発明によれば、ネットワーク上のリソースに対する通信端末のアクセスを簡易な構成で適切に規制することができる。
【発明を実施するための最良の形態】
【００１０】
以下、図面を参照して本発明の実施形態について説明する。なお、各図において共通する部分には、同一の符号が付されている。また、かかる実施形態は本発明の一態様を示すものであり、この発明を限定するものではなく、本発明の範囲で任意に変更可能である。
【００１１】
［Ａ．第１実施形態］
［Ａ−１．第１実施形態の構成］
＜１．通信システムの構成＞
図１は、この発明の第１実施形態に係る携帯電話機４０を含む通信システム１の全体構成を例示するブロック図である。同図に示されるように通信システム１は、コンテンツサーバ１０Ａ，１０Ｂと、インターネット２０と、移動パケット通信網３０と、携帯電話機４０とを有する。なお、図１においては図面が煩雑になることを防ぐために、通信システム１を構成する所定のコンテンツサーバ１０Ａ，１０Ｂ、移動パケット通信網３０を構成する所定のゲートウェイサーバ３１および所定の基地局３２、移動パケット通信網３０に収容される所定の携帯電話機４０のみが示されている。
【００１２】
コンテンツサーバ１０Ａ，１０Ｂは、インターネット２０および移動パケット通信網３０を介して携帯電話機４０とパケット通信を行う機能を有している。このコンテンツサーバ１０Ａ，１０Ｂには、携帯電話機４０に提供可能なプログラムや画像データ、楽曲データなどの様々なコンテンツが格納されている。
【００１３】
移動パケット通信網３０は、当該移動パケット通信網３０に収容される携帯電話機４０に対してパケット通信サービスを提供する通信網であり、ゲートウェイサーバ３１と基地局３２とを有している。なお、通信システム１は、移動パケット通信網３０に加え、図示を省略した移動電話網を有する。この移動電話網は、当該移動電話網に収容される携帯電話機４０に対して一般的な移動電話の通話サービスを提供する通信網である。
【００１４】
ゲートウェイサーバ３１は、移動パケット通信網３０とインターネット２０とを相互接続する図示を省略した移動パケット関門中継交換局に設けられている。このゲートウェイサーバ３１は、移動パケット通信網３０用の通信プロトコルと、インターネット２０の標準通信プロトコルであるＴＣＰ／ＩＰ（Transmission Control Protocol / Internet Protocol）との相互変換を行って、異なる通信プロトコルを有する移動パケット通信網３０とインターネット２０とのデータの授受を中継する。また、基地局３２は、移動パケット通信網３０の通信サービスエリア内に多数設置されており、自局３２のカバーする無線セルに在圏している携帯電話機４０と無線通信を行う。
【００１５】
携帯電話機４０は、自機４０が在圏する無線セルをカバーする基地局３２と無線通信を行い、パケット通信サービスや通話サービスを受ける移動機である。この携帯電話機４０は、移動パケット通信網３０およびインターネット２０を介してコンテンツサーバ１０Ａ，１０Ｂとパケット通信を行う機能を有している。また、この携帯電話機４０は、ペアレントロック機能を有している。このペアレントロック機能は、インターネット２０上のサイト（例えば、コンテンツサーバ１０Ａ，１０Ｂなど）に対する携帯電話機４０のアクセスを制限する機能であって、携帯電話機４０の使用者が子供などの未成年者である場合に、親などの親権者が予め携帯電話機４０のメモリに登録しておいたサイトにしか携帯電話機４０がアクセスできないようにする機能である。
【００１６】
なお、第１および第２実施形態では、ペアレントロック機能により、インターネット２０上のサイトに対する携帯電話機４０のアクセスを制限する場合について説明する。しかしながら、このペアレントロック機能による携帯電話機４０のアクセスの制限対象は、インターネット２０上のサイトに限定されるものではない。例えば、移動パケット通信網３０内にコンテンツサーバが設けられている場合には、このコンテンツサーバを携帯電話機４０のアクセスの制限対象とすることもできる。また、イントラネットやその他のＬＡＮ（Local Area Network）上のサーバや端末を携帯電話機４０のアクセスの制限対象とすることもできる。さらに、これらのサーバや端末に格納されているプログラムやデータ単位でアクセスの制限を行なうこともできる。
【００１７】
特許請求の範囲に記載された「ネットワーク上のリソース」とは、以上説明した内容から明らかなように、携帯電話機４０がアクセス可能なネットワーク上のハードウェア資源およびソフトウェア資源である。
【００１８】
また、以下、本明細書において携帯電話機４０の使用者は、親権者の保護下にある未成年者とする。このような場合、携帯電話機４０の加入契約時や契約内容の変更時には、原則として親権者の同意が必要となる。上述したペアレントロック機能は、携帯電話機４０の加入契約時や契約内容の変更時に親権者からの要求に応じて機能のＯＮ／ＯＦＦが切替えられる。
【００１９】
＜２．携帯電話機の構成＞
図２は、図１に示された携帯電話機４０のハードウェア構成を例示するブロック図である。同図に示されるように携帯電話機４０は、無線通信部４０１と、操作入力部４０２と、通話処理部４０３と、通信インタフェース４０４と、液晶表示部４０５と、記憶部４０６と、ＣＰＵ（Central Processing Unit）４１０とを有し、これらの各部はバス４１１により接続されている。
【００２０】
無線通信部４０１は、アンテナ４０１ａを備え、基地局３２との間で行われる無線通信を制御する。この無線通信部４０１は、ＣＰＵ４１０の制御の下、例えば、送話音声に関するデータやパケット通信用のデータなどを搬送波に重畳して送信信号を生成し、この信号をアンテナ４０１ａを介して基地局３２へ送信する。また、無線通信部４０１は、基地局３２から送られてくる無線信号をアンテナ４０１ａを介して受信し、この信号を復調して自機４０宛の受話音声に関するデータやパケット通信用のデータなどを得る。
【００２１】
操作入力部４０２は、数字や文字、操作指示などを入力するための複数のキーを備え、これらのキーの操作に応じた操作信号をＣＰＵ４１０に出力する。通話処理部４０３は、例えばマイクロフォンやスピーカ、音声処理部などを有し、ＣＰＵ４１０の制御の下、呼接続／切断処理を含む通話処理を行う。通信インタフェース４０４は、通信ケーブルを介して接続された電子機器との間で行われる有線通信を制御する。なお、この通信インタフェース４０４は、赤外線通信や、ＨｏｍｅＲＦ（Home Radio Frequency）、Bluetooth（登録商標）などの近距離無線通信を制御するものであってもよい。また、液晶表示部４０５は、液晶表示パネルと、この液晶表示パネルの表示制御を行う駆動回路とを有する。
【００２２】
記憶部４０６は、ＲＯＭ（Read Only Memory）４０７と、ＲＡＭ（Random Access Memory）４０８と、例えば、ＳＲＡＭ（Static−RAM）やＥＥＰＲＯＭ（Electrically Erasable Programmable−ROM）などの不揮発性メモリ４０９とを有する。
【００２３】
ＲＯＭ４０７には、ＣＰＵ４１０により実行される各種プログラムなどが格納されている。このＲＯＭ４０７には、例えば、携帯電話機４０用のオペレーティングシステムやＷｅｂ（World Wide Web）ブラウザのソフトウェアなどが格納されている。また、ＲＡＭ４０８は、ＣＰＵ４１０のワークエリアとして用いられ、ＣＰＵ４１０により実行されるプログラムや、各種のデータが一時的に格納される。
【００２４】
不揮発性メモリ４０９には、携帯電話機４０用のアプリケーションプログラムや各種のデータが格納される。また、この不揮発性メモリ４０９は、ブックマークテーブル４０９ａと、パスワード登録領域４０９ｂとを有する。
【００２５】
ここで、ブックマークとは、Ｗｅｂブラウザが有するＵＲＬ（Uniform Resource Locator）の登録・保存機能である。例えば、このブックマーク機能により、携帯電話機４０がアクセスする頻度の高いサイトのＵＲＬをブックマーク情報として登録・保存しておけば、登録されたサイトにアクセスする際のＵＲＬの入力作業を簡素化することができる。ブックマークテーブル４０９ａには、図３に示されるように、ブックマーク機能により登録されたサイトのＵＲＬが、サイト名などの付属情報と対応付けられて格納される。
【００２６】
本実施形態では、原則として、このブックマークテーブル４０９ａにＵＲＬが登録されたサイトにしか携帯電話機４０がアクセスできないように、インターネット２０上のサイトに対する携帯電話機４０のアクセスを制限する。また、ブックマーク機能を利用することができるユーザを携帯電話機４０の使用者の親権者のみに限定する。ここで、親権者のみがブックマーク機能を利用できるようにするため、本実施形態に係る携帯電話機４０は、親権者が設定したパスワードをパスワード登録領域４０９ｂに登録し、ブックマーク機能の利用時にユーザ認証を行なう構成としている。
【００２７】
ＣＰＵ４１０は、記憶部４０６に格納されている各種プログラムを実行することにより、バス４１１を介して接続されている装置各部を制御する。ＣＰＵ４１０は、本実施形態に特有な処理として、まず、親権者がブックマーク機能を利用してＵＲＬの登録を行なっている期間中は、インターネット２０上のサイトに対する当該携帯電話機４０のアクセスの制限を解除する。
【００２８】
また、それ以外の期間においてＣＰＵ４１０は、インターネット２０へのアクセスを監視して、アクセス先のＵＲＬがブックマークテーブル４０９ａに登録されているいずれかのＵＲＬと一致するか否かを照合し、このアクセスの許可有無を判別する。そして、ＣＰＵ４１０は、アクセス先のＵＲＬがブックマークテーブル４０９ａのいずれかのＵＲＬと一致し、このアクセスが親権者により許可されたサイトへのアクセスであると判別した場合にのみ、アクセス先のＵＲＬにより特定される通信装置（例えば、コンテンツサーバ１０Ａ，１０Ｂなど）との間で通信を開始する。以上が本実施形態に係る通信システム１の構成である。
【００２９】
［Ａ−２．第１実施形態の動作］
次に、本実施形態の動作について説明する。携帯電話機４０の使用者が未成年者である場合、サービス店において携帯電話機４０の加入契約や契約内容の変更を行なう際には、原則として親権者の同意が必要となる。これらの契約時に親権者からペアレントロック機能を有効にする旨が契約書類あるいは口頭でサービス店の店員に伝えられると、この携帯電話機４０の電話番号とペアレントロック機能を有効に設定する旨を指示する機能設定情報とを含んだサービス契約情報がサービス店に設置された端末から移動パケット通信網３０内の図示を省略した管理サーバへ送信される。
【００３０】
管理サーバは、サービス契約情報を受信すると、このサービス契約情報に含まれている電話番号を有する携帯電話機４０に対して、ペアレントロック機能をＯＮに切替えることを指示する切替コマンドを移動パケット通信網３０経由で送信する。携帯電話機４０は、基地局３２から切替コマンドを含んだ無線信号を受信すると、この切替コマンドに従って自機４０のペアレントロック機能をＯＮに切替える。
【００３１】
なお、携帯電話機４０のペアレントロック機能をＯＮに切替えるための制御は、切替コマンドを移動パケット通信網３０経由で携帯電話機４０へ送信する形態に限定されるものではない。例えば、サービス店の店員が携帯電話機４０を操作して当該携帯電話機４０のペアレントロック機能をＯＮに切替える形態であってもよい。また、サービス店に設置された端末と携帯電話機４０との間で当該携帯電話機４０の通信インタフェース４０４を介した通信が行なわれ、この通信により携帯電話機４０へ切替コマンドが送信される形態であってもよい。なお、ペアレントロック機能がＯＦＦに切替えられている携帯電話機４０は、インターネット２０上の任意のサイトにアクセスすることが可能であり、何らアクセスの制限がなされない。
【００３２】
以上説明したようにペアレントロック機能がＯＮに切替えられた携帯電話機４０において、以下に説明するブックマーク処理およびアクセス制御処理がＣＰＵ４１０により実行される。
【００３３】
＜１．ブックマーク処理＞
まず、携帯電話機４０においてＣＰＵ４１０により実行されるブックマーク処理を、図４に示されるフローチャートを参照して説明する。このブックマーク処理は、Ｗｅｂブラウザの起動中にブックマーク機能の利用を指示する操作指令が入力された場合にＣＰＵ４１０により実行される。
【００３４】
なお、前述したように本実施形態に係る携帯電話機４０においてブックマーク機能を利用できるユーザは、親権者のみに限定されている。例えば、携帯電話機４０の使用者である子供が、親権者である親の許可が下りていないサイトへの携帯電話機４０のアクセスを希望する場合、子供は親に対して、アクセスを許可してもらいたいサイトのＵＲＬの登録を依頼する必要がある。親は、この依頼に応じてそのサイトの内容を閲覧し、携帯電話機４０のアクセスを許可する場合は、そのサイトのＵＲＬをブックマーク機能を利用して登録するのである。
【００３５】
同図に示されるように、まず、ＣＰＵ４１０は、ブックマーク機能の利用が初めてであるか否か、すなわち、アクセスを許可するサイトのＵＲＬの登録処理が初めて実行されたのか否かを判別する（ステップＳ１）。その結果、ＣＰＵ４１０は、ブックマーク機能の利用が初めてであると判別した場合は、次回以降、このブックマーク機能を利用することのできるユーザを親権者のみに限定するため、親権者の認証用パスワードの登録処理を実行する。すなわち、ＣＰＵ４１０は、認証用パスワードの設定画面を表示し（ステップＳ２）、親権者により入力された認証用パスワードを不揮発性メモリ４０９のパスワード登録領域４０９ｂに格納する（ステップＳ３）。
【００３６】
一方、ＣＰＵ４１０は、上記ステップＳ１において、ブックマーク機能の利用が初めてでないと判別した場合は、既にパスワード登録領域４０９ｂに登録されている認証用パスワードを用いてユーザ認証を行ない、ブックマーク機能の利用を要求しているユーザが親権者であるか否かを判別する。すなわち、ＣＰＵ４１０は、図５に示されるようにパスワードの入力画面を表示し（ステップＳ４）、ユーザに対してパスワードの入力を促す。次いで、ＣＰＵ４１０は、ユーザにより入力されたパスワードと、パスワード登録領域４０９ｂに登録されている認証用パスワードとを照合する（ステップＳ５）。その結果、ＣＰＵ４１０は、照合結果が不一致である場合は（ステップＳ６：Ｎｏ）、パスワードが異なる旨のメッセージを液晶画面に表示し（ステップＳ７）、ブックマーク処理を終了する。また、ＣＰＵ４１０は、照合結果が一致した場合は（ステップＳ６：Ｙｅｓ）、ステップＳ８に移行する。
【００３７】
次いで、ＣＰＵ４１０は、この携帯電話機４０に対して設定されているアクセス規制、すなわち、ブックマークが登録され、ブックマークテーブル４０９ａにＵＲＬが登録されているサイトのみに制限されている当該携帯電話機４０のアクセスを、ブックマークの登録処理が終わるまでの間、解除する（ステップＳ８）。これにより携帯電話機４０は、ブックマークの登録が終わるまでの間、インターネット２０上の任意のサイトにアクセスすることができる。
【００３８】
ここで、アクセス規制を解除する理由は、携帯電話機４０の使用者（未成年者）からの依頼に応じて親権者が、アクセスを許可していないサイトに携帯電話機４０によりアクセスし、そのサイトの内容を閲覧して携帯電話機４０のアクセスを許可するか否かを判断できるようにするためである。これにより親権者は、例えば、図６に示されるように、アクセスの許可有無の判断対象となるサイトの内容を携帯電話機４０により閲覧することができる。なお、同図に示される画面表示例は、アクセスの許可有無の判断対象となるサイトが「○○○○大学」のホームページである場合について示している。
【００３９】
親権者によりサイトの内容が閲覧され、親権者がこのサイトに対する携帯電話機４０のアクセスを許可すると判断した場合、親権者は、携帯電話機４０がまだサイトに接続中である段階において、操作入力部４０２を操作して図７に示されるメニュー画面を表示し、操作メニューの中から「ブックマークに登録」を選択する。
【００４０】
ＣＰＵ４１０は、ブックマークへの登録を指示する操作指令が入力されると（ステップＳ９：Ｙｅｓ）、現時点において画面表示されているサイトのＵＲＬを取得し、このＵＲＬをブックマークとして登録する。すなわち、ＣＰＵ４１０は、画面表示されているサイトのＵＲＬをブックマークテーブル４０９ａに登録する（ステップＳ１０）。なお、親権者は、ブックマークとして登録するサイトのＵＲＬを操作入力部４０２を操作して直接入力することもできる。また、ブックマークテーブル４０９ａの更新処理として、例えば、操作入力に応じてブックマークテーブル４０９ａに登録されているＵＲＬを削除する、すなわち、今までアクセスを許可していたサイトへの携帯電話機４０のアクセスを不許可に変更することなども可能である。
【００４１】
ＣＰＵ４１０は、ブックマークの登録を終えると、図８に示される画面表示を行ない、ブックマークの登録が完了したことを親権者に報知する。なお、親権者は、図８に示される画面表示が行なわれた段階で、操作入力部４０２を操作して図６に示したメニュー画面を再度表示し、操作メニューの中から「ブックマークを見る」を選択することにより、携帯電話機４０の液晶画面に図９に示される画面を表示させ、先程登録したブックマークを確認することができる。図９に示される画面表示例は、図６に示された「○○○○大学」のホームページ（ＨＰ）をブックマークに登録した場合について示すものであり、既に登録されている「□□□社」と「△△社」のホームページに加え、「○○○○大学」のホームページがブックマークに追加登録されていることがわかる。
【００４２】
この後、ＣＰＵ４１０は、ブックマークの登録処理の終了を指示する操作指令が入力されると（ステップＳ１１：Ｙｅｓ）、上記ステップＳ８において解除したアクセス規制を復帰させる。すなわち、ＣＰＵ４１０は、ブックマークテーブル４０９ａにＵＲＬが登録されているサイトのみに当該携帯電話機４０のアクセスを制限し（ステップＳ１２）、ブックマーク処理を終了する。
【００４３】
＜２．アクセス制御処理＞
次に、携帯電話機４０においてＣＰＵ４１０により実行されるアクセス制御処理を、図１０に示されるフローチャートを参照して説明する。このアクセス制御処理は、携帯電話機４０において、インターネット２０へのアクセス要求が発生した場合にＣＰＵ４１０により実行される。
【００４４】
同図に示されるように、まず、ＣＰＵ４１０は、アクセス要求に基づくアクセス先のＵＲＬを特定する（ステップＳ２１）。次いで、ＣＰＵ４１０は、ブックマークテーブル４０９ａを参照し（ステップＳ２２）、上記ステップＳ２１において特定したアクセス先のＵＲＬが、ブックマークテーブル４０９ａに登録されているいずれかのＵＲＬと一致するか否かを判別する（ステップＳ２３）。
【００４５】
その結果、ＣＰＵ４１０は、アクセス先のＵＲＬがブックマークテーブル４０９ａのいずれかのＵＲＬと一致すると判別した場合は（ステップＳ２３：Ｙｅｓ）、アクセス先のサイトが親権者により許可されたサイトであると判断し、このアクセスを許可する（ステップＳ２４）。そして、ＣＰＵ４１０は、アクセス先のＵＲＬにより特定される通信装置（例えばコンテンツサーバ１０Ａ，１０Ｂなど）との間で通信を開始する（ステップＳ２５）。これにより携帯電話機４０は、アクセス先のサイトからプログラム、画像データ、楽曲データなどの様々なコンテンツを取得することができる。
【００４６】
なお、携帯電話機４０のユーザが、操作入力部４０２を操作して図９に示された画面を表示し、登録済みのブックマークの中からいずれかのブックマークを選択してサイトへのアクセスを要求した場合は、当然、このサイトのＵＲＬがブックマークテーブル４０９ａに登録されているので、このアクセスは許可されることとなる。ここで、例えば、ブックマークテーブル４０９ａに登録されているＵＲＬがサイトのトップページを示すものである場合、携帯電話機４０は、このＵＲＬが示すトップページの配下の各ページにアクセスすることができる。但し、このサイトに対してリンクされている別のサイトには、この別のサイトのＵＲＬがブックマークテーブル４０９ａに登録されていない限り、携帯電話機４０はアクセスすることができない。
【００４７】
一方、ＣＰＵ４１０は、上記ステップＳ２３において、アクセス先のＵＲＬがブックマークテーブル４０９ａのいずれのＵＲＬとも一致しないと判別した場合は（ステップＳ２３：Ｎｏ）、アクセス先のサイトが親権者により許可されたサイトでないと判断し、このアクセスを許可しない（ステップＳ２６）。この場合、ＣＰＵ４１０は、このアクセスが親権者により許可されていないサイトへのアクセスであることを示すメッセージや、このサイトへのアクセスを行ないたい場合は、親権者にブックマークの登録を行なってもらうことを促すメッセージなどを液晶画面に表示する（ステップＳ２７）。そして、ＣＰＵ４１０は、このアクセスに伴う通信処理などを実行せずに、アクセス制御処理を終了する。
以上説明したように本実施形態によれば、携帯電話機４０は、インターネット２０上のサイトに対する当該携帯電話機４０のアクセスを、この携帯電話機４０の使用者（未成年者）の親権者が登録したブックマークテーブル４０９ａに従って規制することができる。また、携帯電話機４０は、親権者がサイトのＵＲＬをブックマークテーブル４０９ａに登録している期間は、ブックマークテーブル４０９ａに基づくアクセスの規制を解除する。これにより親権者は、新たにＵＲＬを登録しようとしているサイトの内容を携帯電話機４０により閲覧することができる。このように本実施形態によれば、携帯電話機４０の使用者が未成年者である場合に、携帯電話機４０がアクセスすることのできるサイトを親権者が定めることができる。
【００４８】
［Ｂ．第２実施形態］
上述した第１実施形態では、携帯電話機４０のアクセスを許可するサイトのＵＲＬを親権者自身が登録する場合について説明した。しかしながら、この場合、携帯電話機４０の使用者は、アクセスが許可されていないサイトへのアクセスを希望する場合に、いちいち親権者にブックマークの登録を依頼しなければならず、不便であるという側面がある。本実施形態の発明は、以上説明した事情に鑑みてなされたものである。なお、本実施形態において、上記第１実施形態と共通する部分については同一の符号を使用するものとする。また、上記第１実施形態と共通する部分についてはその説明を省略するものとする。
【００４９】
［Ｂ−１．第２実施形態の構成］
＜１．通信システムの構成＞
図１１は、この発明の第２実施形態に係る携帯電話機４１を含む通信システム２の全体構成を例示するブロック図である。同図に示されるように通信システム２は、第三者機関の運営するブックマーク提供サーバ５０がさらに設けられている点が、第１実施形態において説明した通信システム１（図１参照）とは異なる。
【００５０】
なお、本実施形態においても、第１実施形態と同様に、携帯電話機４１の使用者は、親権者の保護下にある子供などの未成年者とする。また、携帯電話機４１の加入契約時や契約内容の変更時には原則として親権者の同意が必要であり、ペアレントロック機能は、上記契約時に親権者からの要求に応じて機能のＯＮ／ＯＦＦが切替えられるものとする。
ブックマーク提供サーバ５０を運営している第三者機関は、携帯電話機４１がアクセスすることのできるインターネット２０上の様々なサイトの内容を審査して、未成年者にとって有害でないサイトを選定し、これらのサイトのＵＲＬやサイトの概要を示した情報などをデータベース化してブックマーク提供サーバ５０に蓄積している。ブックマーク提供サーバ５０に蓄積されているデータベースは、第三者機関により日々更新されており、ブックマーク提供サーバ５０は、データベースに登録されたサイトのＵＲＬをインターネット２０および移動パケット通信網３０を介して、ペアレントロック機能がＯＮに切替えられている携帯電話機４１へ送信する。
【００５１】
なお、ブックマーク提供サーバ５０を運営している第三者機関は、移動パケット通信網３０を運営し、携帯電話機４１に対してパケット通信サービスを提供する通信事業者であってもよいし、当該通信事業者とは異なる独立した機関であってもよい。
【００５２】
携帯電話機４１は、インターネット２０へのアクセスを規制するためのブックマークの登録に用いるサイトのＵＲＬをブックマーク提供サーバ５０から取得する点が上述した第１実施形態の携帯電話機４０とは異なる。また、携帯電話機４１のハードウェア構成は、第１実施形態において説明した携帯電話機４０のハードウェア構成（図２参照）と略同じであるが、異なる点は、親権者の認証用パスワードが登録されるパスワード登録領域４０９ｂが不揮発性メモリ４０９ａに不要な点である。
【００５３】
＜２．ブックマーク提供サーバの構成＞
図１２は、図１１に示されたブックマーク提供サーバ５０のハードウェア構成を例示するブロック図である。同図に示されるようにブックマーク提供サーバ５０は、ＲＯＭ５０１と、ＲＡＭ５０２と、ＨＤ（Hard Disc）５０３と、通信インタフェース５０４と、ＣＰＵ５０５とを有し、これらの各部はバス５０６により接続されている。
【００５４】
ＲＯＭ５０１には、ブックマーク提供サーバ５０の装置各部の基本制御を司るプログラムが格納されている。また、ＲＡＭ５０２は、ＣＰＵ５０５のワークエリアとして用いられ、ＣＰＵ５０５により実行されるプログラムや、各種のデータが一時的に格納される。
【００５５】
ＨＤ５０３には、ブックマーク提供サーバ５０のオペレーティングシステムなどが格納されている。また、このＨＤ５０３には、ブックマークＤＢ（Data Base）５０３ａが格納されている。図１３に示されるように、このブックマークＤＢ５０３ａには、第三者機関により内容が審査され、未成年者にとって有害でないと認定されたサイトのＵＲＬが、サイト名や当該サイトの概要を示すコメント情報などと対応付けられて格納されている。
【００５６】
図１２に戻り、通信インタフェース５０４は、インターネット２０を介して当該ブックマーク提供サーバ５０と他の通信装置との間で行われる通信を制御する。また、ＣＰＵ５０５は、ＲＯＭ５０１やＨＤ５０３などに格納されている各種プログラムを実行することにより、バス５０６を介して接続されている装置各部を制御する。このＣＰＵ５０５は、ＨＤ５０３のブックマークＤＢ５０３ａに格納されているサイト名やコメント情報などに基づいて、携帯電話機４１のアクセスを許可する複数のサイトを紹介する許可サイト一覧データを生成し、この許可サイト一覧データをインターネット２０および移動パケット通信網３０を介して携帯電話機４１へ送信する。また、ＣＰＵ５０５は、上述した許可サイト一覧データの中から携帯電話機４１により指定されたサイトのＵＲＬをブックマークＤＢ５０３ａから読み出して、このサイトのＵＲＬと当該ＵＲＬをブックマークとして登録することを指示するブックマーク登録指令とを携帯電話機４１へ送信する。以上が本実施形態に係る通信システム２の構成である。
【００５７】
［Ｂ−２．第２実施形態の動作］
次に、本実施形態の動作について説明する。まず、本実施形態においても第１実施形態と同様に、携帯電話機４１の使用者が未成年者であるので、携帯電話機４１の加入契約や契約内容の変更が行なわれる際には、原則として親権者の同意が必要となる。これらの契約時に親権者からペアレントロック機能を有効にする旨が契約書類あるいは口頭でサービス店の店員に伝えられると、この携帯電話機４１の電話番号とペアレントロック機能を有効に設定する旨を指示する機能設定情報とを含んだサービス契約情報がサービス店の端末から移動パケット通信網３０内の図示を省略した管理サーバへ送信される。
【００５８】
管理サーバは、サービス契約情報を受信すると、このサービス契約情報に含まれている電話番号を有する携帯電話機４１に対して、ペアレントロック機能をＯＮに切替えることを指示する切替コマンドと、ブックマーク提供サーバ５０のＵＲＬと、当該ＵＲＬをブックマークとして登録することを指示するブックマーク登録指令とを移動パケット通信網３０経由で送信する。
【００５９】
携帯電話機４１は、基地局３２から切替コマンド、ブックマーク提供サーバ５０のＵＲＬ、ブックマーク登録指令などを含んだ無線信号を受信すると、まず、切替コマンドに従って自機４１のペアレントロック機能をＯＮに切替える。また、携帯電話機４１は、ブックマーク提供サーバ５０のＵＲＬをブックマークとして登録する。すなわち、携帯電話機４１は、ブックマーク提供サーバ５０のＵＲＬをブックマークテーブル４０９ａに登録する。これにより、携帯電話機４１においてペアレントロック機能が動作し、ブックマーク提供サーバ５０を除いたインターネット２０上のサイトへのアクセスが禁止される。
【００６０】
なお、携帯電話機４１のペアレントロック機能をＯＮに切替えるための制御は、第１実施形態で述べたように、例えば、サービス店の店員が携帯電話機４１を操作して当該携帯電話機４１のペアレントロック機能をＯＮに切替える形態であってもよい。また、サービス店の端末と携帯電話機４１との間で当該携帯電話機４１の通信インタフェース４０４を介した通信が行なわれ、この通信により携帯電話機４１へ切替コマンドが送信される形態であってもよい。
【００６１】
また、ブックマーク提供サーバ５０のＵＲＬを携帯電話機４１のブックマークとして登録する制御も、例えば、サービス店の店員が携帯電話機４１を操作して当該携帯電話機４１に登録する形態であってもよい。また、サービス店の端末と携帯電話機４１との間で当該携帯電話機４１の通信インタフェース４０４を介した通信が行なわれ、この通信によりブックマーク提供サーバ５０のＵＲＬが携帯電話機４１のブックマークとして登録される形態であってもよい。さらに、製品出荷時において既に携帯電話機４１のメモリにブックマーク提供サーバ５０のＵＲＬが格納されており、ペアレントロック機能がＯＮに切替えられたことに応じてブックマークとして登録される形態であってもよい。
【００６２】
＜１．ブックマーク情報の取得および登録＞
図１４は、携帯電話機４１がブックマーク提供サーバ５０からサイトのＵＲＬを取得してブックマークとして登録するまでの動作を例示するシーケンスチャートである。
【００６３】
同図に示されるように、まず、携帯電話機４１の使用者は、操作入力部４０２を操作してＷｅｂブラウザの起動を指示する。この操作入力に応じて携帯電話機４１のＣＰＵ４１０は、ＲＯＭ４０７に格納されているＷｅｂブラウザのソフトウェアを読み出して起動する（ステップＳ１０１）。次いで、携帯電話機４１の使用者は、操作入力部４０２を操作して図７に示されるメニュー画面を表示し、操作メニューの中から「ブックマークを見る」を選択する。そして、使用者は、ブックマークとして登録されているサイトの中からブックマーク提供サーバ５０を選択する。
【００６４】
この操作入力に応じて携帯電話機４１のＣＰＵ４１０は、ブックマーク提供サーバ５０のＵＲＬをブックマークテーブル４０９ａから読み出す。そして、ＣＰＵ４１０は、ブックマーク提供サーバ５０へ無線通信部４０１を介してアクセス要求を送信する（ステップＳ１０２）。このアクセス要求を含んだ無線信号は、携帯電話機４１が在圏している無線エリアをカバーする基地局３２により受信され、ゲートウェイサーバ３１、インターネット２０を介してブックマーク提供サーバ５０へアクセス要求が送信される。
【００６５】
ブックマーク提供サーバ５０のＣＰＵ５０５は、携帯電話機４１からのアクセス要求を通信インタフェース５０４を介して受信すると、まず、アクセス要求元となる携帯電話機４１の端末認証を行ない（ステップＳ１０３）、認証結果などを含んだアクセス応答を携帯電話機４１へ返信する（ステップＳ１０４）。なお、端末認証の結果、携帯電話機４１が当該ブックマーク提供サーバ５０の提供するサービスに加入している携帯電話機４１であると確認された場合は、上記ステップＳ１０４において送信されるアクセス応答に、サービスのメニュー画面データなどが含まれている。
【００６６】
携帯電話機４１のＣＰＵ４１０は、ブックマーク提供サーバ５０からアクセス応答を受信すると、このアクセス応答に含まれているメニュー画面データをＷｅｂブラウザの機能を用いて液晶表示部４０５に表示する。このメニュー画面の表示に応じて使用者はサービスメニューの選択を行なう。ここで、携帯電話機４１がアクセス可能なサイトを新たに追加するための「ブックマーク登録」メニューが使用者により選択されると、携帯電話機４１のＣＰＵ４１０は、「ブックマーク登録」メニューが選択されたことを示すメニュー選択情報をブックマーク提供サーバ５０へ送信する（ステップＳ１０５）。
【００６７】
ブックマーク提供サーバ５０のＣＰＵ５０５は、携帯電話機４１からメニュー選択情報を受信すると、このメニュー選択情報により指定されるサービスメニューに関する処理を開始する。ここでは、上述したように、「ブックマーク登録」メニューが指定されているので、まず、ＣＰＵ５０５は、ブックマークＤＢ５０３ａからサイト名や当該サイトの概要を示したコメント情報を複数読み出す（ステップＳ１０６）。次いで、ＣＰＵ５０５は、読み出したサイト名やコメント情報に基づいて、携帯電話機４１のアクセスを許可する複数のサイトを紹介する許可サイト一覧データを生成し、この許可サイト一覧データを携帯電話機４１へ送信する（ステップＳ１０７）。
【００６８】
携帯電話機４１のＣＰＵ４１０は、ブックマーク提供サーバ５０から検索応答を受信すると、この検索応答に含まれている許可サイト一覧データを液晶画面に表示する（ステップＳ１０８）。この一覧表示の際には、サイト名に加え、このサイトの概要を示したコメント情報が表示される。したがって、使用者は、これらのサイトに対する携帯電話機４１のアクセスが禁止されている状態にあっても、アクセスしたいサイトをコメント情報の内容を閲覧することにより選択することができる。そして、許可サイト一覧データの中から新たにアクセスしたいサイトが使用者の操作入力により選択されると（ステップＳ１０９）、携帯電話機４１のＣＰＵ４１０は、サイトの選択情報を含んだダウンロード要求をブックマーク提供サーバ５０へ送信する（ステップＳ１１０）。
【００６９】
ブックマーク提供サーバ５０のＣＰＵ５０５は、携帯電話機４１からダウンロード要求を受信すると、このダウンロード要求に含まれているサイトの選択情報に従ってブックマークＤＢ５０３ａから対応するサイトのＵＲＬを読み出す（ステップＳ１１１）。そして、ＣＰＵ５０５は、読み出したサイトのＵＲＬと当該ＵＲＬをブックマークとして登録することを指示するブックマーク登録指令とを携帯電話機４１へ送信する（ステップＳ１１２）。
【００７０】
携帯電話機４１のＣＰＵ４１０は、ブックマーク提供サーバ５０からサイトのＵＲＬとブックマーク登録指令とを受信すると、ブックマーク登録指令に従ってサイトのＵＲＬをブックマークに登録する。すなわち、ＣＰＵ４１０は、ブックマーク提供サーバ５０から受信したサイトのＵＲＬをブックマークテーブル４０９ａに登録する（ステップＳ１１３）。
【００７１】
この後、ＣＰＵ４１０は、「ブックマーク登録」メニューの終了が指示されたか否かを判別し（ステップＳ１１４）、引き続いてブックマークの登録を行なう場合は（ステップＳ１１４：Ｎｏ）、上記ステップＳ１０５に戻る。また、ＣＰＵ４１０は、「ブックマーク登録」メニューの終了が指示された場合は（ステップＳ１１４：Ｙｅｓ）、ブックマーク提供サーバ５０へ終了通知を送信する（ステップＳ１１５）。なお、本実施形態においては、携帯電話機４１の使用者が、操作入力に応じてブックマークテーブル４０９ａに登録されているＵＲＬを削除することなどもできる。
【００７２】
このように本実施形態では、インターネット２０への携帯電話機４１のアクセスを規制するためのブックマークの登録や削除、変更などを携帯電話機４１の使用者（未成年者）が、親権者に依頼することなくブックマーク提供サーバ５０を利用して行なえる点や、ブックマークの登録時に携帯電話機４１のアクセス規制を解除しない点が、上述した第１実施形態とは異なる。
【００７３】
次に、本実施形態に係る携帯電話機４１においてＣＰＵ４１０により実行されるアクセス制御処理は、第１実施形態において説明したアクセス制御処理（図１０参照）と同様であるのでフローチャートの図示を省略するが、その概要は、以下の通りである。
【００７４】
すなわち、携帯電話機４１のＣＰＵ４１０は、インターネット２０へのアクセスを監視して、アクセス先のＵＲＬがブックマークテーブル４０９ａに登録されているいずれかのＵＲＬと一致するか否かを照合し、このアクセスの許可有無を判別する。その結果、ＣＰＵ４１０は、アクセス先のＵＲＬがブックマークテーブル４０９ａのいずれかのＵＲＬと一致し、このアクセスが、第三者機関により未成年者にとって有害なサイトでないと認定されたサイトへのアクセスであると判別した場合は、アクセス先のＵＲＬにより特定される通信装置との間で通信を開始する。これにより携帯電話機４１は、アクセス先のサイトからプログラム、画像データ、楽曲データなどの様々なコンテンツを取得することができる。
【００７５】
一方、ＣＰＵ４１０は、アクセス先のＵＲＬがブックマークテーブル４０９ａのいずれのＵＲＬとも一致しない場合には、このアクセスを許可できない旨のメッセージを液晶画面に表示し、このアクセスに伴う通信処理などを実行せずに、アクセス制御処理を終了する。
【００７６】
以上説明したように本実施形態によれば、ブックマーク提供サーバ５０には、第三者機関により内容が審査され、携帯電話機４１のアクセスを許可するサイトのネットワークアドレスが複数蓄積される。携帯電話機４１は、ブックマーク提供サーバ５０に蓄積されている複数のネットワークアドレスの中から任意のネットワークアドレスを取得してブックマークテーブル４０９ａに登録する。そして、携帯電話機４１は、インターネット２０上のサイトに対する当該携帯電話機４１のアクセスをブックマークテーブル４０９ａに従って規制する。
【００７７】
上述した第１実施形態では、インターネット２０への携帯電話機４０のアクセスを規制するためのブックマークの登録を親権者が行なわなければならなかったが、本実施形態によれば、携帯電話機４１の使用者（未成年者）は、ブックマークの登録を親権者に依頼することなく、自分自身でブックマーク提供サーバ５０に蓄積されたＵＲＬの中から任意のＵＲＬを取得してブックマークとして登録することができ、かつ、上述した第１実施形態と同様の効果を得ることができる。
【００７８】
［Ｃ．変形例］
以上、本発明の実施形態について説明したが、この実施形態はあくまでも例示であり、本発明の趣旨から逸脱しない範囲で様々な変形が可能である。変形例としては、例えば以下のようなものが考えられる。
【００７９】
＜変形例１＞
上述した第１実施形態では、ブックマーク機能の初回利用時に親権者の認証用パスワードを登録する形態について説明した。しかしながら、加入契約時や契約内容の変更時に、親権者の認証用パスワードが契約書類あるいは口頭でサービス店の店員に伝えられ、この認証用パスワードがサービス店の端末から移動パケット通信網３０経由で携帯電話機４０に送信されてパスワード登録領域４０９ｂに登録される形態であってもよい。また、サービス店の店員が携帯電話機４０を操作して親権者の認証用パスワードを登録する形態であってもよい。あるいは、サービス店の端末と携帯電話機４０との間で当該携帯電話機４０の通信インタフェース４０４を介した通信が行なわれ、この通信により携帯電話機４０へ親権者の認証用パスワードが送信される形態であってもよい。
【００８０】
また、親権者であることを認証するユーザ認証は、パスワード形式に限定されるものではなく、例えば、指紋や網膜パターン、声などの身体的特徴により本人確認を行なうバイオメトリック認証などを用いてもよい。
【００８１】
＜変形例２＞
上述した第１および第２実施形態において、ユーザが携帯電話機４０，４１を操作することによりペアレントロック機能のＯＮ／ＯＦＦを切替えられる構成としてもよい。但し、この場合、例えば、子供が勝手にペアレントロック機能をＯＦＦに切替えてしまうことがないように、ペアレントロック機能の切替要求が入力された場合にユーザ認証を行ない、機能の切り替えを行なおうとしているユーザが親権者であることを認証する必要がある。
【００８２】
＜変形例３＞
上述した第１および第２実施形態では、ネットワークアドレスとしてＵＲＬを用いた場合について説明したが、ＩＰアドレスやドメインアドレスなどを用いてもよい。また、電子メールアドレスや電話番号などを用いてもよい。
【００８３】
＜変形例４＞
上述した第２実施形態において、携帯電話機４１のペアレントロック機能をサポートする第三者機関が複数存在し、これら複数の第三者機関の中から親権者が契約時に選択した第三者機関のブックマーク提供サーバ５０から携帯電話機４１がサイトのＵＲＬを取得する構成であってもよいことは勿論である。
【００８４】
＜変形例５＞
上述した第１および第２実施形態では、Ｗｅｂブラウザのブックマーク機能を利用して携帯電話機４０，４１のアクセスを許可するサイトのＵＲＬを登録・保存する場合について説明した。しかしながら、ブックマーク機能を利用しなくても本発明が実現可能であることは勿論である。例えば、携帯電話機４０，４１のアクセスを許可するサイトのＵＲＬを、単に、携帯電話機４０，４１のアクセスを規制する際に参照するデータとして不揮発性メモリ４０９に格納している構成であってもよい。
【００８５】
＜変形例６＞
上述した第１および第２実施形態では、親の要望により子供の使用する携帯電話機４０，４１のアクセスを規制する場合について説明した。しかしながら、本発明は、例えば、会社から支給された業務用携帯電話機の使用者が社員であり、その雇用主の要望により社員の使用する業務用携帯電話機のアクセスを制限する場合などにも適用可能である。
【００８６】
＜変形例７＞
上述した第２実施形態においてブックマーク提供サーバ５０は、インターネット２０に接続されている構成とした。しかしながら、ブックマーク提供サーバ５０は、専用線を介して移動パケット通信網３０のゲートウェイサーバ３１に直接、接続されている構成であってもよい。また、ブックマーク提供サーバ５０の機能をゲートウェイサーバ３１が有する構成であってもよい。さらに、ブックマーク提供サーバ５０は、移動パケット通信網３０内に設置される構成であってもよい。同様に、上述した第１および第２実施形態においてコンテンツサーバ１０Ａ，１０Ｂは、専用線を介して移動パケット通信網３０のゲートウェイサーバ３１に直接、接続されている構成であってもよい。また、コンテンツサーバ１０Ａ，１０Ｂの機能をゲートウェイサーバ３１が有する構成であってもよい。さらに、コンテンツサーバ１０Ａ，１０Ｂは、移動パケット通信網３０内に設置される構成であってもよい。
【００８７】
＜変形例８＞
本発明が適用可能な通信端末は携帯電話機に限定されるものではなく、例えば、ＰＨＳ（Personal Handyphone System：登録商標）端末やＰＤＡ（Personal Digital Assistant）、カーナビゲーション装置、パーソナルコンピュータなどに適用可能であることは勿論である。また、本発明は、図１５に示されるように、移動パケット通信網などを介さない通信システム３に対しても適用可能である。同図に示される通信システム３の場合、ＬＡＮ６０内に設けられたパーソナルコンピュータ８０ａ〜８０ｃが通信端末に該当する。
【図面の簡単な説明】
【００８８】
【図１】この発明の第１実施形態に係る通信システムの全体構成を例示するブロック図である。
【図２】同実施形態に係る携帯電話機のハードウェア構成を例示するブロック図である。
【図３】同実施形態に係る携帯電話機において、不揮発性メモリに格納されるブックマークテーブルのデータ構成を例示する図である。
【図４】同実施形態に係る携帯電話機において、ＣＰＵにより実行されるブックマーク処理の動作を説明するフローチャートである。
【図５】同実施形態に係り、親権者の認証を行なう場合に携帯電話機に表示される画面表示例を示す図である。
【図６】同実施形態に係り、親権者がサイトの内容を閲覧している場合に携帯電話機に表示される画面表示例を示す図である。
【図７】同実施形態に係り、ブックマーク機能を利用して親権者がサイトのＵＲＬを登録する場合に携帯電話機に表示される画面表示例を示す図である。
【図８】同実施形態に係り、ブックマークの登録完了に応じて携帯電話機に表示される画面表示例を示す図である。
【図９】同実施形態に係り、登録済みのブックマークを確認する場合に携帯電話機に表示される画面表示例を示す図である。
【図１０】同実施形態に係る携帯電話機において、ＣＰＵにより実行されるアクセス制御処理の動作を説明するフローチャートである。
【図１１】本発明の第２実施形態に係る通信システムの全体構成を例示するブロック図である。
【図１２】同実施形態に係るブックマーク提供サーバのハードウェア構成を例示するブロック図である。
【図１３】同実施形態に係るブックマーク提供サーバにおいて、ＨＤに格納されるブックマークＤＢのデータ構成を例示する図である。
【図１４】同実施形態に係る携帯電話機がブックマーク提供サーバからサイトのＵＲＬを取得してブックマークとして登録するまでの動作を例示するシーケンスチャートである。
【図１５】本発明の変形例８に係る通信システムの全体構成を例示するブロック図である。
【符号の説明】
【００８９】
１，２，３……通信システム、１０Ａ，１０Ｂ……コンテンツサーバ、２０……インターネット、３０……移動パケット通信網、３１……ゲートウェイサーバ、３２……基地局、４０，４１……携帯電話機、５０……ブックマーク提供サーバ５０、６０……ＬＡＮ、７０……ゲートウェイサーバ、８０ａ，８０ｂ，８０ｃ……パーソナルコンピュータ、４０１……無線通信部、４０１ａ……アンテナ、４０２……操作入力部、４０３……通話処理部、４０４……通信インタフェース、４０５……液晶表示部、４０６……記憶部、４０７……ＲＯＭ、４０８……ＲＡＭ、４０９……不揮発性メモリ、４０９ａ……ブックマークテーブル、４０９ｂ……パスワード登録領域、４１０……ＣＰＵ、４１１……バス、５０１……ＲＯＭ、５０２……ＲＡＭ、５０３……ＨＤ、５０３ａ……ブックマークＤＢ、５０４……通信インタフェース、５０５……ＣＰＵ、５０６……バス。
【図１】
2008118668.tif 000003
【図２】
2008118668.tif 000004
【図３】
2008118668.tif 000005
【図４】
2008118668.tif 000006
【図５】
2008118668.tif 000007
【図６】
2008118668.tif 000008
【図７】
2008118668.tif 000009
【図８】
2008118668.tif 000010
【図９】
2008118668.tif 000011
【図１０】
2008118668.tif 000012
【図１１】
2008118668.tif 000013
【図１２】
2008118668.tif 000014
【図１３】
2008118668.tif 000015
【図１４】
2008118668.tif 000016
【図１５】
2008118668.tif 000017